(57)【要約】【課題】回転体を支持する軸部材の加工を極力省きつつ、少ない部品点数で構成された軸受部材を備える電動流体ポンプを提供する。【解決手段】流体室を形成するケース２と、回転軸方向の一方の外周に永久磁石が固定されたロータ１１を設け、回転軸方向の他方に吸入口から流体を吸入し吐出口から流体を吐出するインペラ１２を設けた回転体１０と、ロータ１１の外周に配置され、ロータ１１を回転駆動する磁界を生成する駆動部と、を備え、回転体１０の回転軸方向のロータ側端部１１Ａとインペラ側端部１２Ａとのうち、いずれか一方の端部に回転体１０のラジアル荷重及びスラスト荷重に対応可能な中空状の回転軸受部材３３を備え、他方の端部に対向するケース２に回転体１０のラジアル荷重及びスラスト荷重に対応可能であって、回転軸受部材３３と同形状の固定軸受部材３６を備える。【選択図】図２
2012154282.tif 000002
【特許請求の範囲】
【請求項１】
流体の吸入口と流体の吐出口とを有する流体室を形成するケースと、
回転軸方向の一方の外周に永久磁石が固定されたロータを設け、回転軸方向の他方に前記吸入口から流体を吸入し前記吐出口から流体を吐出するインペラを設けた回転体と、
前記ロータの外周に配置され、前記ロータを回転駆動する磁界を生成する駆動部と、を備え、
前記回転体の回転軸方向のロータ側端部とインペラ側端部とのうち、いずれか一方の端部に前記回転体のラジアル荷重及びスラスト荷重に対応可能な中空状の回転軸受部材を備え、他方の端部に対向する前記ケースに前記回転体のラジアル荷重及びスラスト荷重に対応可能であって、前記回転軸受部材と同形状の固定軸受部材を備える電動流体ポンプ。
【請求項２】
前記インペラ側端部に前記回転軸受部材を備え、前記ロータ側端部に対向する前記ケースに前記固定軸受部材を備える請求項１に記載の電動流体ポンプ。
【請求項３】
前記固定軸受部材が外周部で前記回転体を軸受するよう構成された請求項２記載の電動流体ポンプ。
【請求項４】
前記固定軸受部材及び前記回転軸受部材の摺動面を外周及び内周の一方の同じ側に設けてある請求項１〜３のいずれか一項に記載の電動流体ポンプ。
【発明の詳細な説明】
【技術分野】
【０００１】
本発明は、ロータの回転によって流体を送り出す電動流体ポンプに関する。
【背景技術】
【０００２】
例えば、特許文献１に記載される電動流体ポンプのように、ケーシングに固定された軸部材にロータを軸支し、ロータの回転によって流体を送り出す流体ポンプが存在する。この電動流体ポンプでは、外周に永久磁石が固定されるロータと、ロータに一体に連結されるインペラを有する回転体とが備えられている。ロータを包囲する隔壁部の外周には回転磁界を生成する駆動部が備えられ、この駆動部によってロータが回転駆動される。ロータ及びインペラを有する回転体は、その円筒部がケースに固定されたシャフトに支持されている。円筒部にはシャフトとラジアル方向に係合する軸受部が形成されている。また、回転体のスラスト方向の移動に対しては、シャフトに締結されたナットが規制手段として機能する。
【先行技術文献】
【特許文献】
【０００３】
【特許文献１】特開２００６−９７０７号公報
【発明の概要】
【発明が解決しようとする課題】
【０００４】
特許文献１の電動流体ポンプでは、回転体を支持するケース側のシャフトにおいて、回転体の円筒部に形成された軸受部を軸受けする部分と、円筒部に接触しない部分とを区別するための加工が必要であり、結果的にシャフト全体に加工を施す必要がある。また、回転体のラジアル方向の軸受とスラスト方向の軸受とが別部材で構成されているため、部品点数が多くなる。
【０００５】
本発明は、回転体を支持する軸部材の加工を極力省きつつ、少ない部品点数で構成された軸受部材を備える電動流体ポンプを提供することを目的としている。
【課題を解決するための手段】
【０００６】
本発明の電動流体ポンプの第１特徴構成は、流体の吸入口と流体の吐出口とを有する流体室を形成するケースと、回転軸方向の一方の外周に永久磁石が固定されたロータを設け、回転軸方向の他方に前記吸入口から流体を吸入し前記吐出口から流体を吐出するインペラを設けた回転体と、前記ロータの外周に配置され、前記ロータを回転駆動する磁界を生成する駆動部と、を備え、前記回転体の回転軸方向のロータ側端部とインペラ側端部とのうち、いずれか一方の端部に前記回転体のラジアル荷重及びスラスト荷重に対応可能な中空状の回転軸受部材を備え、他方の端部に対向する前記ケースに前記回転体のラジアル荷重及びスラスト荷重に対応可能であって前記回転軸受部材と同形状の固定軸受部材を備える点にある。
【０００７】
この構成により、ロータとインペラとを有する回転体は、ケースに備えられた固定軸受部材と回転体に備えられた回転軸受部材とによって回転軸方向の両端が軸受されて回転する。このため、回転体に回転軸部分に挿通されるシャフトが不要となり、回転体を回転支持する軸部材及び軸受部材は回転体の回転軸方向の両端部に対応する部分に備えるだけでよい。すなわち、回転体を支持する軸部材及び軸受部材を短くできることで、結果として軸部材及び軸受部材の加工部分を小さくすることができる。
また、ケースに備えられた固定軸受部材と回転体に備えられた回転軸受部材とは、同形状であって回転体のラジアル荷重及びスラスト荷重に対応する形状であるので、部品の共通化を図ることができる。その結果、部品点数を少なくでき、製造コストを抑制できる。
【０００８】
本発明の電動流体ポンプの第２特徴構成は、前記インペラ側端部に前記回転軸受部材を備え、前記ロータ側端部に対向する前記ケースに前記固定軸受部材を備える点にある。
【０００９】
回転体は一端にロータ、他端にインペラを設けて構成されている。このうち、ロータの外周には永久磁石が固定されているため、インペラに比較して重量がかなり大きい。このため、回転体全体の回転軸方向の重量バランスがロータ側に偏り、回転体がスムーズに回転しない場合があった。
しかし、本構成のように、ロータ側端部に対向するケースに固定軸受部材を備え、インペラ側端部に回転軸受部材を備えると、回転軸受部材によってインペラ側の重量が増し、回転体全体の重量バランスのロータへの偏り度合が緩和される。その結果、回転体の重量バランスが是正され、回転体の回転がスムーズになる。
【００１０】
本発明の電動流体ポンプの第３特徴構成は、前記固定軸受部材が外周部で前記回転体を軸受するよう構成された点にある。
【００１１】
ロータ側端部に対向するケースに固定軸受部材を備えた場合、仮に、固定軸受部材の内周部で回転体を軸受するよう構成すると、ロータ側端部には固定軸受部材の内周部と接する突出部が形成されることとなり、突出部によってロータの重量は増すこととなる。一方、本構成のように、ロータ側端部に対向するケースに備えられた固定軸受部材が外周部で回転体を軸受するよう構成すると、ロータ側端部には固定軸受部材の外周部と接する凹部が形成されることとなり、凹部によってロータの重量は軽減される。その結果、回転体の重量バランスがより是正され、回転体の回転がスムーズになる。
【００１２】
本発明の電動流体ポンプの第４特徴構成は、前記固定軸受部材及び前記回転軸受部材の摺動面を外周及び内周の一方の同じ側に設けてある点にある。
【００１３】
本構成により、固定軸受部材及び回転軸受部材は、いずれも外周及び内周のうち一方の摺動面の加工精度を向上させるだけでよいことになる。その結果、軸受部材の加工が容易となり、製造コストを抑制できる。
【図面の簡単な説明】
【００１４】
【図１】本発明に係る電動流体ポンプの全体構成を示す断面図
【図２】本発明に係る回転体の軸受構造を示す図
【図３】インペラ側端部の軸受構造を示す図
【図４】ロータ側端部の軸受構造を示す図
【図５】第２実施形態に係る回転体の軸受構造を示す図
【図６】第２実施形態に係るインペラ側端部の軸受構造を示す図
【図７】第２実施形態に係るロータ側端部の軸受構造を示す図
【図８】他の実施形態に係るインペラ側端部の軸受構造を示す図
【図９】他の実施形態に係るロータ側端部の軸受構造を示す図
【図１０】他の実施形態に係るインペラ側端部の軸受構造を示す図
【図１１】他の実施形態に係るロータ側端部の軸受構造を示す図
【発明を実施するための形態】
【００１５】
以下、本発明に係る電動流体ポンプを車両の電動ウォーターポンプに適用した例を図面に基づいて説明する。
【００１６】
[第１実施形態]
電動ウォーターポンプ１は、冷却水（流体）を、例えば車両のエンジン及びラジエータを有する図示しない冷却回路に循環させる。冷却水は、エンジンで発熱した熱量を吸収し温められ、ラジエータで熱量を放出し冷却されてエンジンを冷却する。
【００１７】
（電動流体ポンプの全体構成）
電動ウォーターポンプ１は、図１に示す如く、樹脂製のケース２内に水室（流体室）８０が形成されており、水室８０に回転体１０が配置されている。回転体１０は、回転軸方向の一方にロータ１１が設けられ、回転軸方向の他方にインペラ１２が設けられている。ロータ１１の外周には永久磁石が固定されており、ロータ１１の外周側にロータ１１を回転駆動する磁界を生成する駆動部２０が備えられている。電動ウォーターポンプ１は、駆動部２０により生成された磁界によってロータ１１が回転駆動され、ロータ１１と一体のインペラ１２が水室８０内で回転することで冷却水を図示しない冷却回路内に循環させる。
【００１８】
ケース２には、回転体１０の回転軸芯Ｌの方向から電動ウォーターポンプ１の内部へ冷却水を引き込む吸入口３と、冷却水を電動ウォーターポンプ１の外部へ吐き出す吐出口４とが設けてある。また、ケース２は、締結部材によりフランジ部のシール部材を介して水密状態に固定される。
【００１９】
図１及び図２に示すように、回転体１０に設けられたインペラ１２は円筒状のロータ１１に一体的に設けられている。インペラ１２は、回転体１０の回転軸に垂直な方向に延設される略円板の基部１３と、この基部１３に立設された複数の羽根部１４とで構成されている。ロータ１１の外周には、磁性部材が一体に固定され、更に、磁性部材の外周には周状に複数（例えば、Ｎ極とＳ極とが交互になった４極）の極性をもつ永久磁石が固定されている。インペラ１２はロータ１１の回転に伴って回転し、冷却水を吸入口３から水室８０に引き込み、吐出口４から外部に冷却水を排出する。
【００２０】
（回転体のインペラ側端部とこれに対向するケースの構造）
回転体１０のインペラ側端部１２Ａには円筒部３１と鍔部３２とを有する中空状の回転軸受部材３３が備えられている。回転軸受部材３３は、インペラ側端部１２Ａに対して円筒部３１が回転体１０の回転軸方向に沿うように全体が埋設され、鍔部３２は円筒部３１よりもインペラ側端部１２Ａの内方に位置する。インペラ側端部１２Ａに対向する位置には、ケース２の内壁から回転体１０の回転軸芯Ｌに向けて延出する延出部２Ａが形成されており、この延出部２Ａに回転体１０の回転軸方向に沿う方向に突出する突出部２ａが備えられている。回転軸受部材３３は、円筒部３１の内周部３１Ａと鍔部３２の内周部３２Ａとが突出部２ａとの摺動面となる。すなわち、回転軸受部材３３において、内周部３１Ａ、３２Ａが回転体１０のラジアル方向の荷重に対応する軸受部として機能する。また、円筒部３１のケース２に対向する端面３１Ｂが回転体１０のスラスト方向の荷重に対応する軸受部として機能する。なお、吸入口３の冷却水は延出部２Ａの周囲に形成される流路を経て水室８０に引き込まれる。
【００２１】
（回転体のロータ側端部とこれに対向するケースの構造）
回転体１０のロータ側端部１１Ａには回転軸受部材は備えられておらず、ロータ側端部１１Ａに対向するケース２に、円筒部３４と鍔部３５とを有し回転軸受部材３３と同形状の固定軸受部材３６が備えられている。固定軸受部材３６は、ケース２に対して円筒部３４が回転体１０の回転軸方向に沿うように全体が埋設され、鍔部３５は円筒部３４よりもケース２の内方に位置する。ロータ側端部１１Ａには、回転体１０の回転軸方向に沿う方向に突出する突出部１１ａが備えられている。固定軸受部材３６は、円筒部３４の内周部３４Ａと鍔部３５の内周部３５Ａとが突出部１１ａとの摺動面となる。すなわち、固定軸受部材３６において、内周部３４Ａ、３５Ａが回転体１０のラジアル方向の荷重に対応する軸受部として機能する。また、円筒部３４のロータ側端部１１Ａに対向する端面３４Ｂが回転体１０のスラスト方向の荷重に対応する軸受部として機能する。
【００２２】
電動ウォーターポンプ１の動作について以下説明する。
駆動部２０が通電を制御する図示しない通電制御手段を介して、外部からの信号により通電されると、周方向に複数の磁極を有する永久磁石が回転を行う。これに伴い、永久磁石が固着されたロータ１１が回転し、インペラ１２を含む回転体１０全体が回転する。こうして、インペラ１２が回転すると、冷却水を吸入口３から水室８０に引き込み、吐出口４から外部に冷却水を排出する。
【００２３】
ロータ１１とインペラ１２とを有する回転体１０は、インペラ側端部１２Ａに備えられた回転軸受部材３３とケース２の内面に備えられた固定軸受部材３６とによって回転軸方向の両端が軸受されて回転する。このため、回転体１０には回転軸部分に挿通されるシャフトが不要となり、回転体１０を回転支持する軸受部は回転体１０の回転軸方向の両端部に対応する部分に備えるだけでよい。すなわち、回転体１０を支持する軸受部が短くなり、結果として軸受部の加工部分を小さくすることができる。
【００２４】
また、回転体１０に備えられた回転軸受部材３３とケース２に備えられた固定軸受部材３６とは、同形状であって回転体１０のラジアル荷重及びスラスト荷重に対応する形状であるので、部品の共通化を図ることができる。その結果、部品点数を少なくでき、製造コストを抑制できる。
【００２５】
回転体１０のロータ１１の外周には永久磁石が固定されているため、インペラ１２に比較して重量がかなり大きい。このため、回転体１０全体の回転軸方向の重量バランスがロータ１１側に偏り、回転体１０がスムーズに回転しない場合がある。しかし、本実施形態のように、ロータ側端部１１Ａには回転軸受部材３３を備えず、インペラ側端部１２Ａのみに回転軸受部材３３を備えると、インペラ１２側に回転軸受部材３３の重量が加わり、回転体１０全体の重量バランスのロータ１１側への偏り度合が緩和される。その結果、回転体１０の重量バランスが是正され、回転体１０の回転がスムーズになる。
【００２６】
インペラ側端部１２Ａに備えられる回転軸受部材３３と、インペラ側端部１２Ａに対向するケース２の構造については、図３（ａ）に示すように、回転軸受部材３３の円筒部３１をインペラ側端部１２Ａから露出させた状態で配置し、ケース２の延出部２Ａに円筒部３１の外周部３１Ｃが内接する凹部２ｂを形成してもよい。
【００２７】
また、図３（ｂ）に示すように、回転軸受部材３３の鍔部３２をインペラ側端部１２Ａから露出させた状態で配置し、ケース２の延出部２Ａに回転軸受部材３３の内周部３２Ａ、３１Ａと接する突出部２ａを形成してもよい。その他、図３（ｃ）に示すように、回転軸受部材３３の鍔部３２をインペラ側端部１２Ａの端面に面一状に配置してもよい。
【００２８】
ロータ側端部１１Ａと、ロータ側端部１１Ａに対向するケース２に備えられる固定軸受部材３６の構造についても、図４（ａ）に示すように、固定軸受部材３６の円筒部３４をケース２から露出させた状態で配置し、ロータ側端部１１Ａに円筒部３４の外周部３４Ｃが内接する凹部１１ｂを形成してもよい。仮に、固定軸受部材３６の内周部３４Ａで回転体１０を軸受するよう構成すると、ロータ側端部１１Ａには固定軸受部材３６の内周部３４Ａと接する突出部１１ａが形成されることとなり、突出部１１ａによってロータ１１の重量は増すこととなる。一方、本構成のように、ロータ側端部１１Ａに対向するケース２に備えられた固定軸受部材３６が外周部３４Ｃで回転体１０を軸受するよう構成すると、ロータ側端部１１Ａには、固定軸受部材３６の外周部３４Ｃと接する凹部１１ｂが形成されることとなり、凹部１１ｂによってロータ１１の重量は軽減される。その結果、回転体１０の重量バランスがより是正され、回転体１０の回転がスムーズになる。
【００２９】
また、図４（ｂ）に示すように、固定軸受部材３６の鍔部３５をケース２から露出させた状態で配置し、ロータ側端部１１Ａに固定軸受部材３６の内周部３５Ａ、３４Ａと接する突出部１１ａを形成してもよい。その他、図４（ｃ）に示すように、固定軸受部材３６の鍔部３５をケース２の内面に面一状に配置してもよい。
【００３０】
例えば、図２に示すように、回転軸受部材３３と固定軸受部材３６の摺動面が共に同じ側の内周にある場合や、図３（ａ）、図４（ａ）に示されるように、回転軸受部材３３と固定軸受部材３６の摺動面が共に同じ側の外周である場合は、本構成により、回転軸受部材３３及び固定軸受部材３６は、いずれも外周及び内周のうち一方の側の摺動面の加工精度を向上させるだけでよいことになる。その結果、回転軸受部材３３及び固定軸受部材３６の加工が容易となり、製造コストを抑制できる。
【００３１】
[第２実施形態]
本実施形態では、図５に示されるように、回転体１０のインペラ側端部１２Ａに対向するケース２に固定軸受部材３６を備え、回転体１０のロータ側端部１１Ａに回転軸受部材３３を備える。
【００３２】
（回転体のインペラ側端部とこれに対向するケースの構造）
回転体１０のインペラ側端部１２Ａには回転軸受部材は備えられておらず、インペラ側端部１２Ａに対向するケース２の延出部２Ａに、円筒部３４と鍔部３５とを有し回転軸受部材３３と同形状の固定軸受部材３６が備えられている。固定軸受部材３６は、ケース２の延出部２Ａに対して円筒部３４が回転体１０の回転軸方向に沿うように全体が埋設され、鍔部３５は円筒部３４よりもケース２の内方に位置する。インペラ側端部１２Ａには、回転体１０の回転軸方向に沿う方向に突出する突出部１２ａが備えられている。固定軸受部材３６は、円筒部３４の内周部３４Ａと鍔部３５の内周部３５Ａとが突出部１２ａとの摺動面となる。すなわち、固定軸受部材３６において、内周部３４Ａ、３５Ａが回転体１０のラジアル方向の荷重に対応する軸受部として機能する。また、円筒部３４のインペラ側端部１２Ａに対向する端面３４Ｂが回転体１０のスラスト方向の荷重に対応する軸受部として機能する。なお、吸入口３の冷却水は延出部２Ａの周囲に形成される流路を経て水室８０に引き込まれる。
【００３３】
（回転体のロータ側端部とこれに対向するケースの構造）
回転体１０のロータ側端部１１Ａには円筒部３１と鍔部３２とを有する中空状の回転軸受部材３３が備えられている。回転軸受部材３３は、ロータ側端部１１Ａに対して円筒部３１が回転体１０の回転軸方向に沿うように全体が埋設され、鍔部３２は円筒部３１よりもロータ側端部１１Ａの内方に位置に埋設する。ロータ側端部１１Ａに対向するケース２には、回転体１０の回転軸方向に沿う方向に突出する突出部２ａが備えられている。回転軸受部材３３は、円筒部３１の内周部３１Ａと鍔部３２の内周部３２Ａとが突出部２ａとの摺動面となる。すなわち、回転軸受部材３３において、内周部３１Ａ、３２Ａが回転体１０のラジアル方向の荷重に対応する軸受部として機能する。また、円筒部３１のケース２に対向する端面３１Ｂが回転体１０のスラスト方向の荷重に対応する軸受部として機能する。
【００３４】
インペラ側端部１２Ａと、インペラ側端部１２Ａに対向するケース２の構造については、図６（ａ）に示すように、固定軸受部材３６の円筒部３４をケース２の延出部２Ａの内面から露出させた状態で配置し、インペラ側端部１２Ａに円筒部３４の外周部３４Ｃが内接する凹部１２ｂを形成してもよい。
【００３５】
また、図６（ｂ）に示すように、固定軸受部材３６の鍔部３５をケース２の延出部２Ａの内面から露出させた状態で配置し、インペラ側端部１２Ａに固定軸受部材３６の内周部３５Ａ、３４Ａと接する突出部１２ａを形成してもよい。その他、図６（ｃ）に示すように、固定軸受部材３６の鍔部３５をケース２の内面に面一状に配置してもよい。
【００３６】
ロータ側端部１１Ａに備えられる回転軸受部材３３と、ロータ側端部１１Ａに対向するケース２の構造についても、図７（ａ）に示すように、回転軸受部材３３の円筒部３１をロータ側端部１１Ａの端面から露出させた状態で配置し、ケース２に円筒部３１の外周部３１Ｃが内接する凹部２ｂを形成してもよい。
【００３７】
また、図７（ｂ）に示すように、回転軸受部材３３の鍔部３２をロータ側端部１１Ａから露出させた状態で配置し、ケース２に回転軸受部材３３の内周部３２Ａ、３１Ａと接する突出部２ａを形成してもよい。その他、図７（ｃ）に示すように、回転軸受部材３３の鍔部３２をロータ側端部１１Ａの端面に面一状に配置してもよい。
【００３８】
[他の実施形態]
（１）上記の実施形態では、回転軸受部材３３及び固定軸受部材３６が円筒部３１，３４と鍔部３２，３５とを有する例を示したが、鍔部３２，３５を有さずに円筒部３１，３４のみで回転軸受部材３３及び固定軸受部材３６を構成してもよい。
【００３９】
図８（ａ）では、インペラ側端部１２Ａに円筒部３１のみで構成された回転軸受部材３３が埋設されており、インペラ側端部１２Ａに対向するケース２の延出部２Ａの内面には円筒部３１の内周部３１Ａと接する突出部２ａが形成されている。図８（ｂ）では、インペラ側端部１２Ａの端面から円筒部３１の一部が露出しており、インペラ側端部１２Ａに対向するケース２の延出部２Ａの内面には円筒部３１の外周部３１Ｃと接する凹部２ｂが形成されている。
【００４０】
図９（ａ）では、ロータ側端部１１Ａに対向するケース２の内面に円筒部３４のみで構成された固定軸受部材３６が埋設されており、ロータ側端部１１Ａには円筒部３４の内周部３４Ａと接する突出部１１ａが形成されている。図９（ｂ）では、ケース２の内面から円筒部３４の一部が露出しており、ロータ側端部１１Ａには円筒部３４の外周部３４Ｃに接する凹部１１ｂが形成されている。
【００４１】
図１０（ａ）では、インペラ側端部１２Ａに対向するケース２の延出部２Ａの内面に円筒部３４のみで構成された固定軸受部材３６が埋設されており、インペラ側端部１２Ａには円筒部３４の内周部３４Ａと接する突出部１２ａが形成されている。図１０（ｂ）では、ケース２の延出部２Ａの内面から円筒部３４の一部が露出しており、インペラ側端部１２Ａには円筒部３４の外周部３４Ｃに接する凹部１２ｂが形成されている。
【００４２】
図１１（ａ）では、ロータ側端部１１Ａに円筒部３１のみで構成された回転軸受部材３３が埋設されており、ロータ側端部１１Ａに対向するケース２の内面には円筒部３１の内周部３１Ａと接する突出部２ａが形成されている。図１１（ｂ）では、ロータ側端部１１Ａの端面から円筒部３１の一部が露出しており、ロータ側端部１１Ａに対向するケース２の内面には円筒部３１の外周部３１Ｃと接する凹部２ｂが形成されている。
【００４３】
（２）回転軸受部材３３及び固定軸受部材３６の内周が摺動面になる場合、円筒部３１，３４のみが摺動面になるよう構成してもよいし、円筒部３１，３４と鍔部３２，３５の両方が摺動面になるよう構成してもよい。
【００４４】
（３）回転軸受部材３３及び固定軸受部材３６を回転体１０またはケース２に埋設する方法については、回転軸受部材３３及び固定軸受部材３６を回転体１０またはケース２と一体成形する際に埋設してもよいし、回転体１０またはケース２の成形後に回転軸受部材３３及び固定軸受部材３６を後付けして埋設するようにしてもよい。
【産業上の利用可能性】
【００４５】
本発明の電動流体ポンプは、ウォーターポンプを始めとする各種流体ポンプに広く用いることができる。
【符号の説明】
【００４６】
１ 電動ウォーターポンプ
２  ケース
２Ａ  延出部
２ａ  突出部
２ｂ  凹部
１０  回転体
１１  ロータ
１１Ａ  ロータ側端部
１１ａ，１２ａ  突出部
１１ｂ，１２ｂ  凹部
１２  インペラ
１２Ａ  インペラ側端部
３１  円筒部
３２  鍔部
３３  回転軸受部材
３４  円筒部
３５  鍔部
３６  固定軸受部材
【図１】
2012154282.tif 000003
【図２】
2012154282.tif 000004
【図３】
2012154282.tif 000005
【図４】
2012154282.tif 000006
【図５】
2012154282.tif 000007
【図６】
2012154282.tif 000008
【図７】
2012154282.tif 000009
【図８】
2012154282.tif 000010
【図９】
2012154282.tif 000011
【図１０】
2012154282.tif 000012
【図１１】
2012154282.tif 000013